(57)【要約】【課題】ディスク装置の厚さを薄くすることができるディスク装置を提供すること。【解決手段】ディスク装置１は、トレイ２と、カートリッジ押さえ装置４と、ディスク押さえ部材５１と、スピンドル３４とを備える。トレイ２は、カートリッジ７あるいは未収納ディスクのいずれか一方を載置する。カートリッジ押さえ装置４は、トレイ２に載置されたカートリッジ７をトレイ側に押圧する。ディスク押さえ部材５１は、トレイ側の端面５１ｂは、トレイ２のカートリッジ７が載置される載置面２１からの高さがトレイ２に載置されたカートリッジ７の高さよりも高い。スピンドル３４は、上昇することで、収納ディスク２００をカートリッジ７の内壁面７１ｃに押さえつけることで保持し、あるいは未収納ディスクをディスク押さえ部材５１に押さえつけて保持する。【選択図】        図９
2007164840.tif 000002
【特許請求の範囲】
【請求項１】
収納ディスクが収納されているカートリッジあるいは当該カートリッジに収納されていない未収納ディスクのいずれか一方を載置し、ディスク載置位置からディスク再生位置までを移動するトレイと、
前記トレイのディスク再生位置時に、当該トレイに載置されたカートリッジをトレイ側に押圧するカートリッジ押さえ手段と、
前記トレイのディスク再生位置時に、少なくとも前記未収納ディスクの中心穴に対向し、かつトレイ側の端面の前記トレイの前記カートリッジが載置される載置面からの高さが当該トレイに載置されたカートリッジの高さよりも高いディスク押さえ部材と、
前記トレイのディスク再生位置時に、前記収納ディスクあるいは前記未収納ディスクを挟んで前記ディスク押さえ部材と対向し、上昇することで当該収納ディスクあるいは当該未収納ディスクの中心穴に入り込み、当該トレイに前記カートリッジが載置されている場合には当該収納ディスクを当該カートリッジの内壁面に押さえつけることで保持し、当該トレイに当該未収納ディスクが載置されている場合には当該未収納ディスクを前記ディスク押さえ部材に押さえつけて保持し、当該収納ディスクあるいは当該未収納ディスクを回転する保持回転手段と、
を備えることを特徴とするディスク装置。
【請求項２】
前記ディスク押さえ部材は、少なくとも前記端面が樹脂材料で形成されていることを特徴とする請求項１に記載のディスク装置。
【発明の詳細な説明】
【技術分野】
【０００１】
本発明は、ディスク装置に関し、さらに詳しくは、カートリッジに収納されている収納ディスクおよびカートリッジに収納されていない未収納ディスクのいずれをもトレイにより、ディスク装置に搬出入するディスク装置に関するものである。
【背景技術】
【０００２】
ディスク装置には、カートリッジに収納されていない未収納ディスクのみならず、カートリッジに収納されている収納ディスクに記録された情報の再生あるいは当該ディスクへの情報の記録の少なくともいずれか一方を行うものがある。このようなカートリッジ対応型のディスク装置では、収納ディスクが載置されているカートリッジあるいは未収納ディスクをトレイに載置して、このトレイがディスク載置位置からディスク再生位置まで移動することで、収納ディスクあるいは未収納ディスクをディスク装置に搬入する。そして、搬入された収納ディスクあるいは未収納ディスクをスピンドルにより回転させ、収納ディスクあるいは未収納ディスクに対して再生あるいは記録を行う。従って、このようなカートリッジ対応型のディスク装置では、スピンドルにカートリッジに収納されていない未収納ディスクのみならず、カートリッジに収納されている収納ディスクを保持させる必要がある。
【０００３】
そこで、従来のカートリッジ対応型のディスク装置では、特許文献１に示すように、クランパーにより、収納ディスクあるいは未収納ディスクをスピンドルに保持するものがある。このクランパーは、例えば磁力により収納ディスクあるいは未収納ディスクをスピンドルに保持する保持力を発生するものである。
【０００４】
このクランパーは、トレイの移動時に、このトレイ、特にトレイに載置されているカートリッジと接触しない位置に回避させる必要がある。このため、従来のカートリッジ対応型のディスク装置では、クランパーを例えばアッパーケースにディスクの厚み方向に移動可能に支持し、少なくともクランパーをトレイの移動に連動して、厚み方向のうちトレイ（カートリッジ）と離れる方向に移動させるクランパー移動機構が備えられていた。
【０００５】
【特許文献１】特開２００１−２７３７００号公報
【発明の開示】
【発明が解決しようとする課題】
【０００６】
しかしながら、上記特許文献１に示すようなディスク装置では、クランパーをディスク装置の厚み方向に移動させる必要があるため、ディスク装置の厚みが増加するという虞がある。また、クランパー移動機構が必要なり、ディスク装置の部品点数の増加、コストの増加となる虞がある。
【０００７】
この発明は、上述した課題をその一例として解決するものであって、ディスク装置の厚みを薄くすることができるディスク装置を提供することを目標とする。
【課題を解決するための手段】
【０００８】
本発明の請求項１に記載のディスク装置は、収納ディスクが収納されているカートリッジあるいは当該カートリッジに収納されていない未収納ディスクのいずれか一方を載置し、ディスク載置位置からディスク再生位置までを移動するトレイと、前記トレイのディスク再生位置時に、当該トレイに載置されたカートリッジをトレイ側に押圧するカートリッジ押さえ手段と、前記トレイのディスク再生位置時に、少なくとも前記未収納ディスクの中心穴に対向し、かつトレイ側の端面の前記トレイの前記カートリッジが載置される載置面からの高さが当該トレイに載置されたカートリッジの高さよりも高いディスク押さえ部材と、前記トレイのディスク再生位置時に、前記収納ディスクあるいは前記未収納ディスクを挟んで前記ディスク押さえ部材と対向し、上昇することで当該収納ディスクあるいは当該未収納ディスクの中心穴に入り込み、当該トレイに前記カートリッジが載置されている場合には当該収納ディスクを当該カートリッジの内壁面に押さえつけることで保持し、当該トレイに当該未収納ディスクが載置されている場合には当該未収納ディスクを前記ディスク押さえ部材に押さえつけて保持し、当該収納ディスクあるいは当該未収納ディスクを回転する保持回転手段と、を備えることを特徴とする。
【発明を実施するための最良の形態】
【０００９】
以下、この発明につき図面を参照しつつ詳細に説明する。なお、下記実施の形態および実施例によりこの発明が限定されるものではない。また、下記実施の形態および実施例における構成要素には、当業者が容易に想定できるもの或いは実質的に同一のものが含まれる。なお、下記の実施例では、収納ディスクあるいは未収納ディスクに記録された情報の再生およびいずれかへの情報の記録を行うことができるディスク装置について説明するが、これに限定されるものではない。例えば、収納ディスクあるいは当該未収納ディスクに記録された情報の再生のみ、あるいは収納ディスクあるいは当該未収納ディスクへの情報の記録のみを行うことができるディスク装置であっても良い。
【００１０】
〔実施の形態１〕
この実施の形態１に係るディスク装置は、トレイと、カートリッジ押さえ手段と、ディスク押さえ部材と、保持回転手段とを備える。トレイは、収納ディスクが収納されているカートリッジあるいはカートリッジに収納されていない未収納ディスクのいずれか一方を載置できるものであり、ディスク載置位置からディスク再生位置までを移動する。カートリッジ押さえ手段は、トレイがディスク再生位置に位置した時に、このトレイに載置されたカートリッジをトレイ側に押圧するものである。ディスク押さえ部材は、トレイがディスク再生位置に位置した時に、トレイに載置された未収納ディスクの中心穴に対向する。また、ディスク押さえ部材のトレイ側の端面は、トレイのカートリッジが載置される載置面からの高さがトレイに載置されたカートリッジの高さよりも高い。保持回転手段は、トレイがディスク再生位置に位置した時に、収納ディスクあるいは未収納ディスクを挟んでディスク押さえ部材と対向する。この保持回転手段は、上昇することで、収納ディスクあるいは未収納ディスクの中心穴に入り込む。この保持回転手段は、トレイにカートリッジが載置され、収納ディスクの中心穴に入り込んだ場合は、この収納ディスクをカートリッジの内壁面に押さえつけることで保持し、この収納ディスクを回転する。また、保持回転手段は、トレイに未収納ディスクが載置され、未収納ディスクの中心穴に入り込んだ場合は、この未収納ディスクをディスク押さえ部材に押さえつけて保持し、この未収納ディスクを回転する。
【００１１】
この実施の形態１に係るディスク装置では、上記構成を特徴とすることで、回転保持手段は、収納ディスクおよび未収納ディスクのいずれであっても保持することができる。従って、クランパーを設ける必要がないので、このクランパーがディスク装置の厚み方向に移動する分の厚みを薄くすることができる。また、クランパーを設ける必要がないのでクランパー移動機構が必要なくなり、ディスク装置の部品点数の増加、コストの増加を抑制することができる。
【００１２】
〔実施の形態２〕
この実施の形態２に係るディスク装置は、上記実施の形態１にかかるディスク装置において、ディスク押さえ部材は、少なくとも端面が樹脂材料で形成されている。
【００１３】
この実施の形態２に係るディスク装置では、上記構成を特徴とすることで、回転保持手段が未収納ディスクを保持する際に、未収納ディスクがディスク押さえ部材に対して移動しても、この未収納ディスクが損傷することを抑制することができる。
【実施例】
【００１４】
図１は、この実施例にかかるディスク装置の概略断面図である。図２は、トレイの構成例を示す図である。図３は、シャーシの構成例を示す図である。図４は、アッパーケースの構成例を示す図である。図５〜図１３は、この実施例にかかるディスク装置の動作説明図である。なお、ここでいう収納ディスクおよび格納ディスクは、ＤＶＤ（Digital Versatile Disc）、ＣＤ（Compact Disc）、ＢＤ（Bl-ray Disc）、ＨＤＤＶＤ（High Definition Digital Versatile Disc）などの光ディスクを含むものである。また、搬入動作とは、トレイをディスク載置位置からディスク再生位置まで移動させることをいう。一方、搬出動作とは、トレイをディスク再生位置からディスク載置位置まで移動させることをいう。
【００１５】
図１〜図４に示すように、このディスク装置１は、トレイ２と、シャーシ３と、カートリッジ押さえ装置４と、アッパーケース５とを備えるものである。このトレイ２は、シャーシ３とアッパーケース５との間に、カートリッジ７（図６参照）あるいは未収納ディスク１００（図２の１点鎖線）を載置するディスク載置位置からこの載置されたカートリッジに７に収納された収納ディスク２００あるいは未収納ディスク１００の再生記録を行うディスク再生位置までを移動自在に支持され、収納されている。
【００１６】
トレイ２は、図１および図２に示すように、ディスク載置位置（図示省略）からディスク再生位置（図１参照）までを移動するものである。このトレイ２は、シャーシ３に形成された図示しない複数のガイド部材により、ディスク載置位置からディスク再生位置までを移動自在に支持されている。なお、このトレイ２の移動は、例えばこのトレイ２とギヤを介して連結される駆動モータからなる図示しないトレイ移動手段により行われる。つまり、このトレイ移動手段は、収納ディスク２００あるいは未収納ディスク１００をディスク装置１に搬入する際に、このトレイ２をディスク載置位置からディスク再生位置まで移動させ、収納ディスク２００あるいは未収納ディスク１００をディスク装置１から搬出する際に、このトレイ２をディスク再生位置からディスク載置位置まで移動するものである。なお、この図示しないトレイ移動手段の回転駆動制御は、図示しない制御装置により行われる。
【００１７】
トレイ２は、ほぼ中央部に、載置面２１が形成されている。この載置面２１は、カートリッジ７を載置することができる面積を有している。また、この載置面２１には、カートリッジ７に収納されていない未収納ディスク１００を載置するための載置用凹部２１ａ，２１ｂが形成されている。なお、載置用凹部２１ａには、直径が大きい未収納ディスク１００（１２ｃｍのディスク）を載置することができ、載置用凹部２１ｂには、直径が小さいディスク（例えば、８ｃｍのディスク）を載置することができる。なお、２１ｃは、載置面２１にカートリッジ７が載置された際に、このカートリッジ７の位置決め穴７３（図６参照）に挿入される位置決めピンである。
【００１８】
また、このトレイ２には、カートリッジ７のシャッター７２を開く、スライド部材２２が設けられている。このスライド部材２２は、トレイ２に形成された摺動溝２１ｄ，２１ｅを摺動突起２２ａ，２２ｂがそれぞれ摺動することで、トレイ２の搬出入方向と直交する方向である幅方向（図２の左右方向）に摺動するものである。また、このスライド部材２２には、幅方向に摺動する際に、載置面２１に載置されたカートリッジ７のシャッター７２の先端部７２ａと接触することで、このカートリッジ７のシャッター７２を開く突起部２２ｃが載置面側に突出して形成されている。なお、このスライド部材２２によりシャッター７２を開くことは、このスライド部材２２とアッパーケース５との間に配置された図示しないスライドカム機構により行われる。このスライドカム機構は、スライド部材２２のアッパーケース５と対向する面に形成された図示しないスライドカムピンと、アッパーケース５のスライド部材２２と対向する面に形成された図示しないスライドカム溝とにより構成されている。従って、この図示しないスライドカムピンは、トレイ２によるカートリッジ７あるいは未収納ディスク１００の搬出入動作に連動して、この図示しないスライドカム溝を摺動する。これにより、トレイ２がディスク再生位置に位置する前に、このスライドカム機構がこのスライド部材２２によりシャッター７２を開く。
【００１９】
シャーシ３は、図１および図３に示すように、内部に形成された搭載空間部３１に、ディスク再生位置に位置した時のトレイ２が収納されるものである。また、このシャーシ３には、ディスク装置１を構成する種々の部品が搭載される。この搭載される部品としては、上記図示しないトレイ移動手段である駆動モータや、この駆動モータとギヤを介して連結され、カートリッジ７あるいは未収納ディスク１００の搬出入動作、すなわちトレイ２のディスク載置位置からディスク再生位置までの移動に連動して、トレイ２の搬出入方向と直交する方向である幅方向（図３の左右方向）に移動するメインカム３２がある。このメインカム３２は、シャーシ３に形成された摺動溝３１ａとメインカム３２に形成された摺動ピン３２ａとにより、シャーシ３に対して、幅方向に移動自在に支持されている。
【００２０】
また、シャーシ３には、トラバースメカ３３が搭載されている。このトラバースメカ３３は、スピンドル３４や、例えばピックアップなどのこの収納ディスク２００あるいは未収納ディスク１００に記録された情報の読み込みおよび収納ディスク２００あるいは未収納ディスク１００への情報の書き込みを行う再生記録手段などが搭載されている。なお、この図示しない再生記録手段の駆動制御は、図示しない制御装置により行われる。このトラバースメカ３３は、搬入方向の両端部３３ａ，３３ｂが緩衝部材Ｓを介して、シャーシ３の支持軸３１ｄ，３１ｅが支持され、搬出方向の両端部３３ｃ，３３ｄが緩衝部材Ｓを介して、従動部材３５の支持軸３５ｃ，３５ｄに支持されている。
【００２１】
スピンドル３４は、回転保持手段であり、トレイ２がディスク再生位置に位置した時に、このトレイ２に載置されているカートリッジ７に収納されている収納ディスク２００あるいは未収納ディスク１００を保持し、回転するものである。このスピンドル３４は、トレイ２がディスク再生位置に位置した時に、収納ディスク２００および未収納ディスク１００を挟んでアッパーケース５のディスク押さえ部材５１と対向するように、トラバースメカ３３に搭載されている。このモータ部３４ａと、ターンテーブル部３４ｂと、センタリングハブ部３４ｃと、複数の爪部３４ｄとにより構成されている。
【００２２】
モータ部３４ａは、ターンテーブル部３４ｂと複数の爪部３４ｄとの間で保持された収納ディスク２００あるいは未収納ディスク１００を回転させるものである。
【００２３】
ターンテーブル部３４ｂは、このモータ部３４ａの図示しない回転軸の先端部に固定されている。このターンテーブル部３４ｂの直径は、収納ディスク２００の中心穴２０１や未収納ディスク１００の中心穴１０１の直径よりも大きく設定されている。従って、ターンテーブル部３４ｂに、センタリングハブ部３４ｃがこの中心穴２０１や中心穴１０１に入り込んだ際に、収納ディスク２００や未収納ディスク１００を載置することができる。
【００２４】
センタリングハブ部３４ｃは、収納ディスク２００の中心穴２０１や未収納ディスク１００の中心穴１０１に入り込むものである。このセンタリングハブ部３４ｃは、ターンテーブル部３４ｂの中心部に形成されており、このターンテーブル部３４ｂの図示しない回転軸方向における断面形状が台形形状となるように形成されている。
【００２５】
各爪部３４ｄは、センタリングハブ部３４ｃに中心穴２０１が入り込んだ収納ディスク２００や中心穴１０１が入り込んだ未収納ディスク１００をこの複数の爪部３４ｄとターンテーブル部３４ｂとの間で保持するものである。この爪部３４ｄは、センタリングハブ部３４ｃの外表面から突出して、円周上に等間隔に、複数個、ここでは３個取り付けられている。各爪部３４ｄは、ターンテーブル部３４ｂの図示しない回転軸からこの爪部３４ｄの径方向における端部までの距離が変化するように、センタリングハブ部３４ｃに対して揺動自在に支持されている。この各爪部３４ｄとセンタリングハブ部３４ｃとの間には、図示しない弾性部材が配置されている。各爪部３４ｄは、この弾性部材により、ターンテーブル部３４ｂの図示しない回転軸からこの爪部３４ｄの径方向における端部までの距離が最大となるように付勢されている。
【００２６】
従動部材３５は、Ｕ字形状に形成されており、その両先端部近傍に、幅方向に突出する回転軸３５ａ，３５ｂが形成されている。この回転軸３５ａ，３５ｂは、それぞれシャーシ３に形成された軸受３１ｂ，３１ｃに回転自在に支持される。ここで、このメインカム３２によるトラバースメカ３３の昇降は、このメインカム３２と従動部材３５との間に配置された昇降カム機構３６により行われる。この昇降カム機構３６は、メインカム３２に形成された図示しない昇降カム溝と、従動部材３５に形成された昇降カムピン３６ａ，３６ｂとにより構成されている。
【００２７】
従って、このトラバースメカ３３は、トレイ２によるカートリッジ７あるいは未収納ディスク１００の搬出入動作に連動して幅方向に移動するメインカム３２の移動に連動して昇降するものである。これにより、スピンドル３４は、図１に示すように、トレイ２によるカートリッジ７あるいは未収納ディスク１００の搬出入動作に連動して、シャーシ３の支持軸３１ｄ，３１ｅを昇降中心Ｇとして昇降する。
【００２８】
また、シャーシ３は、アッパーケース５を固定する複数の固定穴３７ａ〜ｄ（図３では、４箇所）が形成されている。
【００２９】
カートリッジ押さえ装置４は、カートリッジ押さえ手段であり、トレイ２あるいはこのトレイ２に載置されたカートリッジ７をトレイ側から（図１では、上から下に向かって）押圧するものである。このカートリッジ押さえ装置４は、シャーシ３の搭載空間部３１の幅方向における両側面に２個備えられている。つまり、各カートリッジ押さえ装置４は、トレイ２がディスク装置１に収納された際に、このトレイ２の搬出入方向における両側面と対向して、それぞれ配置されている。各カートリッジ押さえ装置４は、それぞれアーム部材４１と、押さえピン４２と、回転軸４３と、回転ピン４４とにより構成されている。
【００３０】
アーム部材４１は、ディスク装置１のトレイ２の側面と対向する位置に配置されている。このアーム部材４１は、搭載空間部３１の幅方向における両側面からトレイ２の両側面に向かって突出してそれぞれ形成された回転軸４３により回転自在に支持されている。
【００３１】
押さえピン４２は、円柱形状であり、例えば合成樹脂などのトレイ２やカートリッジ７と接触しても、傷付き難い材料で形成されている。この押さえピン４２は、アーム部材４１の一方の端部に、トレイ２の側面に向かって突出するように形成されている。この押さえピン４２は、その先端部が上記トレイ２の載置面２１に載置されたカートリッジ７に接触できるように形成されている。また、押さえピン４２は、トレイ２がディスク再生位置に位置した時に、このアーム部材４１が回転することにより、トレイ２に向かって移動し、このトレイ２にカートリッジ７が載置されている際に、このカートリッジ７をトレイ側に押さえつけるものである。なお、トレイ２にカートリッジ７が載置されていない場合、この押さえピン４２は、トレイ２のリブと接触することとなる。
【００３２】
回転ピン４４は、押さえピン４２をトレイ２に向かう方向に回転させるものである。この回転ピン４４は、アーム部材４１の他方の端部に形成されている。回転ピン４４は、上記トレイ移動手段と連結されており、トレイ２によるカートリッジ７あるいは未収納ディスク１００の搬出入動作に連動して、押さえピン４２を回転させるものである。つまり、回転ピン４４は、図示しないトレイ移動手段の駆動力により押さえピン４２をトレイ２に向かう方向に回転させるものである。なお、回転ピン４４は、トレイ移動手段によりトレイ２の移動方向（図１矢印Ａ方向、図５矢印Ｄ方向）に往復運動する図示しないアームに回転自在に連結されていても良い。また、回転ピン４４は、トレイ移動手段により搬出入方向に往復運動する図示しないカム部材に形成されたカム溝に摺動可能に挿入されていても良い。
【００３３】
回転ピン４４は、トレイ２がディスク載置位置からディスク再生位置に移動する際に、矢印Ｅ方向に押圧される（図５参照）。これにより、アーム部材４１および押さえピン４２が同図矢印Ｅ方向に回転する（同図参照）。このとき、アーム部材４１および押さえピン４２の回転は、トレイ２がディスク再生位置に位置する直前あるいは位置した時に、押さえピン４２がカートリッジ７あるいはトレイ２と接触するように調整されている。
【００３４】
アッパーケース５は、図１および図４に示すように、シャーシ３に被されるものであり、搭載空間部３１を覆うものである。アッパーケース５は、ディスク押さえ部材５１が設けられている。また、アッパーケース５は、シャーシ３の複数の固定穴３７ａ〜ｄにそれぞれ対向する固定穴５２ａ〜ｄが形成されている。
【００３５】
ディスク押さえ部材５１は、中空部５１ａを有する円筒形状であり、アッパーケース５の裏面からトレイ側（シャーシ側）に向かって突出して形成されている。また、カートリッジ押さえ装置５１は、アッパーケース５の裏面のうち、トレイ２がディスク再生位置に位置した時に、このトレイ２に未収納ディスク１００が載置されている場合に、この未収納ディスク１００の中心穴１０１に対向する位置に形成されている。また、このディスク押さえ部材５１は、トレイ側の端面５１ｂのトレイ２のカートリッジ７が載置される載置面２１からの高さｈ１（図１参照）がトレイ２に載置されたカートリッジ７の高さ、ここでは、カートリッジ７のアッパーケース５と対向する面までの高さｈ２（図７参照）よりも高くなるように形成されている。例えば、ｈ１は、８．５５±０．２ｍｍ程度に設定される。なお、カートリッジ７の高さｈ２は、トレイ２の載置面２１にこのカートリッジ７が載置された際に、トレイ２からアッパーケース側に突出する高さである。
【００３６】
また、ディスク押さえ部材５１は、合成樹脂で形成されている。従って、トレイ側の端面５１ｂも合成樹脂により形成されている。これにより、回転保持手段であるスピンドルが上昇し、ディスク再生位置に位置するトレイ２に載置されている未収納ディスク１００を保持する際に、この未収納ディスク１００がディスク押さえ部材５１に対して移動し、未収納ディスク１００がトレイ側の端面５１ｂに対して摺動しても、この未収納ディスク１００が損傷することを抑制することができる。
【００３７】
カートリッジ７は、図７に示すように、収納ディスク２００を収納するものであり、本体７１と、シャッター７２と、位置決め穴７３とにより構成されている。本体７１は、収納ディスク２００を収納する収納部７１ａが形成されている。また、本体７１には、カートリッジ７がトレイ２に載置された際の搬入方向側に開口するＵの字の切欠部が形成されており、この切欠部と収納部７１ａは連通している。この切欠部は、上記搬入方向側の幅方向における両端部にリブ７１ｂが取り付けられている。なお、この収納部７１ａは、収納ディスク２００よりも径方向に若干大きく、軸方向に所定の隙間が形成できるように形成されている。
【００３８】
シャッター７２は、この切欠部を覆うものであり、カートリッジ７がトレイ２に載置された際の幅方向のいずれにも摺動自在に本体７１に支持されている。また、このシャッター７２は、先端部７２ａが本体７１の上記搬入方向側の端部よりも搬入方向側に突出して形成されている。このシャッター７２と、本体７１との間には、弾性部材が幅方向の両方向側にそれぞれ配置されている。各弾性部材は、このシャッター７２に外力が作用していない場合に、常にシャッター７２が切欠部を覆う位置となるように付勢するものである。
【００３９】
位置決め穴７３は、カートリッジ７をトレイ２の載置面２１に載置した際に、トレイ２の位置決めピン２１ｃが挿入されるものである。これにより、カートリッジ７は、トレイ２に対して位置決め穴７３を中心とする回転方向以外の移動が規制される。
【００４０】
次に、ディスク装置１の組み立てについて説明する。まず、トレイ２をシャーシ３の図示しない複数のガイド部材により搬出入方向に移動自在に支持する。次に、このトレイ２がシャーシ３に支持された状態で、シャーシ３の固定穴３７ａ〜ｄにアッパーケース５の固定穴５２ａ〜ｄをそれぞれ合わせ、この固定穴３７ａ〜ｄに固定手段、例えばネジ６をこの固定穴５２ａ〜ｄを介して螺合することにより固定する（図１参照）。
【００４１】
次に、この実施例にかかるディスク装置１の動作について説明する。まず、カートリッジ７の搬出動作、搬入動作について説明する。ディスク装置１は、搬出動作が行われる前には、図１に示すように、トレイ２がディスク再生位置に位置し、カートリッジ押さえ装置４の押さえピン４２がトレイ２と接触し、スピンドル３４は回転位置に位置する。
【００４２】
まず、図示しないトレイ移動手段を図示しない制御装置により駆動し、搬出動作を開始する。これにより、まずメインカム３２は、図１に示すように、幅方向のうち一方向に移動し、トラバースメカ３３が昇降カム機構３６により、一旦昇降中心Ｇを中心として、矢印Ｃ方向と反対方向に移動した後、矢印Ｃ方向に移動する。つまり、スピンドル３４は、回転位置から一旦上昇した後、図５に示すように、待避位置まで下降する。また、カートリッジ押さえ装置４の回転ピン４４は、トレイ２がディスク再生位置から搬出方向に向かって移動を開始する前に、同図矢印Ａ方向に引っ張られる。そして、アーム部材４１と押さえピン４２は、同図矢印Ｂ方向、すなわちトレイ２から離れる方向に回転する。これにより、押さえピン４２は、トレイ２のトレイリブ２３よりも、アッパーケース側（同図では、上側）に位置する。また、トレイ２は、スピンドル３４が待避位置まで下降した後、あるいは待避位置に位置する直前に、図１に示すディスク再生位置から搬出方向に向かって移動を開始し、図５に示すディスク載置位置まで移動する。これにより、搬出動作が終了する。
【００４３】
次に、ディスク載置位置に位置するトレイ２にカートリッジ７を載置する。ユーザーは、図６に示すように、ディスク装置１の外部に露出したトレイ２の載置面２１にカートリッジ７を載置する。このとき、カートリッジ７の位置決め穴７３に、トレイ２の位置決めピン２１ｃが挿入される。ここで、スライド部材２２は、同図に示すように、トレイ２がディスク載置位置に位置する時に、この搬出動作に連動して、図示しないスライドカム機構により、幅方向のうち一方向側（同図では右側）に位置する。従って、載置面２１にカートリッジ７が載置されると、スライド部材２２の突起部２２ｃは、シャッター７２の先端部７２ａの幅方向における一方の端部（同図では右側）に位置し、この先端部７２ａと対向する。
【００４４】
次に、図示しないトレイ移動手段を図示しない制御装置により駆動し、搬入動作を開始する。このトレイ移動手段の駆動方向は、上記搬出動作の際における駆動方向と反対方向である。これにより、まず、カートリッジ７が載置されたトレイ２は、図５に示すディスク載置位置から搬入方向に向かって移動を開始し、図７に示すディスク再生位置まで移動する。このとき、スライド部材２２は、この搬入動作に連動して、図示しないスライドカム機構により、図６に示すトレイ２がディスク載置位置に位置する時のおける幅方向のうち一方向側の位置から同図矢印Ｆ方向に移動を開始する。従って、スライド部材２２の突起部２２ｃがシャッター７２の先端部７２ａと接触し、このシャッター７２に同図矢印Ｆ方向の外力が加えられる。スライド部材２２は、この外力が弾性部材によりシャッター７２に作用する付勢力に対抗することで、シャッター７２とともに同図矢印Ｆ方向に移動し、図８に示すトレイ２がディスク再生位置に位置する前までに、幅方向のうち他方向側（同図では左側）に位置する。
【００４５】
ここで、カートリッジ７が載置されたトレイ２がディスク載置位置からディスク再生位置まで移動する際に、カートリッジ７は、ディスク押さえ部材５１と対向する。しかし、このディスク押さえ部材５１は、トレイ側の端面５１ｂのトレイ２のカートリッジ７が載置される載置面２１からの高さｈ１（図１参照）がトレイ２に載置されたカートリッジ７の高さｈ２（図７参照）よりも高くなるように形成されているため、このトレイ２に載置されたカートリッジ７と接触することはない。
【００４６】
次に、カートリッジ７が載置されたトレイ２がディスク再生位置まで移動した後、カートリッジ押さえ装置４の回転ピン４４は、図５矢印Ｄ方向に引っ張られる。そして、アーム部材４１と押さえピン４２は、同図矢印Ｅ方向、すなわちトレイ２に向かう方向に回転する。これにより、押さえピン４２は、トレイ側（同図では、下側）に移動し、トレイ２に載置されたカートリッジ７と接触し、カートリッジ押さえ装置４によりこのカートリッジ７がトレイ側に押さえ付けられる。これにより、カートリッジ７が位置決め穴７３を中心に回転方向に移動することが規制され、このカートリッジ７がアッパーケース側に移動することが規制される。
【００４７】
次に、メインカム３２は、図示は省略するが幅方向のうち他方向から一方向に移動し、カートリッジ押さえ装置４により、カートリッジ７をトレイ側に押さえ付けられた後、あるいは押さえ付けられる直前に、図７に示すように、トラバースメカ３３が昇降カム機構３６により、昇降中心Ｇを中心として、矢印Ｉ方向に移動を開始する。つまり、スピンドル３４は、待機位置から上昇を開始する。トラバースメカ３３が昇降カム機構３６により、昇降中心Ｇを中心として、矢印Ｉ方向にさらに移動をし、スピンドル３４がさらに上昇すると、カートリッジ７に収納された収納ディスク２００の中心穴２０１にこのスピンドル３４のセンタリングハブ部３４ｃが入り込む。
【００４８】
センタリングハブ部３４ｃが収納ディスク２００の中心穴２０１に入り込んだ状態から、トラバースメカ３３が昇降カム機構３６により、昇降中心Ｇを中心として、矢印Ｉ方向にさらに移動をし、スピンドル３４がさらに上昇すると、複数の爪部３４ｄが収納ディスク２００の中心穴２０１の近傍部分に接触し、この収納ディスク２００がスピンドル３４の上昇に伴って上昇する。そして、スピンドル３４とともに上昇した収納ディスク２００は、カートリッジ７の収納部７１ａの内壁面７１ｃと接触する。このとき、上述のように、トレイ２に載置されたカートリッジ７は、カートリッジ押さえ装置４によりトレイ側に押さえ付けられている。従って、スピンドル３４がさらに上昇しても、収納ディスク２００は、それ以上上昇できなくなる。つまり、収納ディスク２００は、カートリッジ７の内壁面７１ｃに押さえ付けられる。
【００４９】
収納ディスク２００がカートリッジ７の内壁面７１ｃに押さえ付けられることで、各爪部３４ｄに外力が作用する。この外力が弾性部材により本体部７１とシャッター７２との間に作用する付勢力に対抗することで、ターンテーブル部３４ｂの図示しない回転軸からこの爪部３４ｄの径方向における端部までの距離が小さくなる。これにより、収納ディスク２００は、図９に示すように、この各爪部３４ｄとセンタリングハブ部３４ｃとの間で保持される。
【００５０】
次に、スピンドル３４に収納ディスク２００が保持された状態から、メインカム３２がさらに一方向に移動し、トラバースメカ３３が昇降カム機構３６により、昇降中心Ｇを中心として、同図矢印Ｃ方向に移動を開始する。これにより、スピンドル３４は、図１０に示すように、収納ディスク２００を保持したまま、回転位置まで下降し、搬入動作が終了する。そして、スピンドル３４を図示しない制御装置により回転駆動することで、モータ部３４ａが回転し、ターンテーブル部３４ｂに載置され、このターンテーブル部３４ｂと各爪部３４ｄとの間で保持された収納ディスク２００が回転する。
【００５１】
なお、収納ディスク２００のスピンドル３４による保持を解除する際には、図示しないトレイ移動手段を図示しない制御装置により駆動し、搬出動作を行えばよい。これにより、上述のように、図１０に示すスピンドル３４が回転位置から一旦上昇した後、待避位置まで下降する（図５参照）。このとき、このターンテーブル部３４ｂと各爪部３４ｄとの間で保持された収納ディスク２００は、スピンドル３４とともに下降するが、カートリッジ７の収納部７１ａの内壁面７１ｃと厚さ方向において反対側の内壁面と接触する。従って、スピンドル３４がさらに下降しても、収納ディスク２００は、それ以上下降できなくなる。つまり、収納ディスク２００は、カートリッジ７の内壁面７１ｃと反対側の内壁面に押さえ付けられる。収納ディスク２００がカートリッジ７の内壁面７１ｃと反対側の内壁面に押さえ付けられることで、各爪部３４ｄに外力が作用する。この外力が弾性部材により本体部７１とシャッター７２との間に作用する付勢力に対抗することで、ターンテーブル部３４ｂの図示しない回転軸からこの爪部３４ｄの径方向における端部までの距離が小さくなる。これにより、各爪部３４ｄとセンタリングハブ部３４ｃとの間で保持されていた収納ディスク２００がスピンドル３４から外れ、保持が解除される。
【００５２】
次に、未収納ディスク１００の搬出動作、搬入動作について説明する。なお、未収納ディスク１００の搬出動作は、上記カートリッジ７の搬出動作と同一であるので、その説明は省略する。
【００５３】
次に、ディスク載置位置に位置するトレイ２に未収納ディスク１００を載置する。ユーザーは、図１に示すように、ディスク装置１の外部に露出したトレイ２の載置用凹部２１ａに未収納ディスク１００を載置する。
【００５４】
次に、図示しないトレイ移動手段を図示しない制御装置により駆動し、搬入動作を開始する。このトレイ移動手段の駆動方向は、上記搬出動作の際における駆動方向と反対方向である。これにより、まず、未収納ディスク１００が載置されたトレイ２は、図５に示すディスク載置位置から搬入方向に向かって移動を開始し、図１１に示すディスク再生位置まで移動する。
【００５５】
次に、未収納ディスク１００が載置されたトレイ２がディスク再生位置まで移動した後、カートリッジ押さえ装置４の回転ピン４４は、図５矢印Ｄ方向に引っ張られる。そして、アーム部材４１と押さえピン４２は、同図矢印Ｅ方向、すなわちトレイ２に向かう方向に回転する。これにより、押さえピン４２は、トレイ側（同図では、下側）に移動し、トレイ２と接触する。
【００５６】
次に、メインカム３２は、図示は省略するが幅方向のうち他方向から一方向に移動し、カートリッジ押さえ装置４の押さえピン４２がトレイ２と接触した後、あるいは接触する直前に、トラバースメカ３３が昇降カム機構３６により、図１１に示すように、昇降中心Ｇを中心として、矢印Ｉ方向に移動を開始する。つまり、スピンドル３４は、待機位置から上昇を開始する。トラバースメカ３３が昇降カム機構３６により、昇降中心Ｇを中心として、矢印Ｉ方向にさらに移動をし、スピンドル３４がさらに上昇すると、未収納ディスク１００の中心穴１０１にこのスピンドル３４のセンタリングハブ部３４ｃが入り込む。
【００５７】
センタリングハブ部３４ｃが未収納ディスク１００の中心穴１０１に入り込んだ状態から、トラバースメカ３３が昇降カム機構３６により、昇降中心Ｇを中心として、矢印Ｉ方向にさらに移動をし、スピンドル３４がさらに上昇すると、複数の爪部３４ｄが未収納ディスク１００の中心穴１０１の近傍部分に接触し、この未収納ディスク１００がスピンドル３４の上昇に伴って上昇する。そして、スピンドル３４がさらに上昇すると、センタリングハブ部３４ｃがディスク押さえ部材５１の中空部５１ａに入り込み、このスピンドル３４とともに上昇した未収納ディスク１００は、ディスク押さえ部材５１のトレイ側の端面５１ｂと接触する。従って、スピンドル３４がさらに上昇しても、未収納ディスク１００は、それ以上上昇できなくなる。つまり、未収納ディスク１００は、ディスク押さえ部材５１に押さえ付けられる。
【００５８】
未収納ディスク１００がディスク押さえ部材５１に押さえ付けられることで、各爪部３４ｄに外力が作用する。この外力が弾性部材により本体部７１とシャッター７２との間に作用する付勢力に対抗することで、ターンテーブル部３４ｂの図示しない回転軸からこの爪部３４ｄの径方向における端部までの距離が小さくなる。これにより、収納ディスク２００は、図１２に示すように、この各爪部３４ｄとセンタリングハブ部３４ｃとの間で保持される。
【００５９】
次に、スピンドル３４に未収納ディスク１００が保持された状態から、メインカム３２がさらに一方向に移動し、トラバースメカ３３が昇降カム機構３６により、昇降中心Ｇを中心として、同図矢印Ｃ方向に移動を開始する。これにより、スピンドル３４は、図１３に示すように、未収納ディスク１００を保持したまま、回転位置まで下降し、搬入動作が終了する。そして、スピンドル３４を図示しない制御装置により回転駆動することで、モータ部３４ａが回転し、ターンテーブル部３４ｂに載置され、このターンテーブル部３４ｂと各爪部３４ｄとの間で保持された未収納ディスク１００が回転する。
【００６０】
なお、未収納ディスク１００のスピンドル３４による保持を解除する際には、図示しないトレイ移動手段を図示しない制御装置により駆動し、搬出動作を行えばよい。これにより、上述のように、図１３に示すスピンドル３４が回転位置から一旦上昇した後、待避位置まで下降する（図５参照）。このとき、このターンテーブル部３４ｂと各爪部３４ｄとの間で保持された未収納ディスク１００は、スピンドル３４とともに下降するが、トレイ２の載置用凹部２１ａと接触する。従って、スピンドル３４がさらに下降しても、未収納ディスク１００は、それ以上下降できなくなる。つまり、未収納ディスク１００は、載置用凹部２１ａに押さえ付けられる。未収納ディスク１００が載置用凹部２１ａに押さえ付けられることで、各爪部３４ｄに外力が作用する。この外力が弾性部材により本体部７１とシャッター７２との間に作用する付勢力に対抗することで、ターンテーブル部３４ｂの図示しない回転軸からこの各爪部３４ｄの径方向における端部までの距離が小さくなる。これにより、各爪部３４ｄとセンタリングハブ部３４ｃとの間で保持されていた未収納ディスク１００がスピンドル３４から外れ、保持が解除される。
【００６１】
以上のように、この実施例にかかるディスク装置１では、回転保持手段であるスピンドル３４は、収納ディスク２００および未収納ディスク１００のいずれであっても保持することができる。従って、クランパーを設ける必要がないので、このクランパーがディスク装置１の厚み方向に移動する分の厚みを薄くすることができる。これにより、ディスク装置１の厚みＨ（図１参照）を薄くすることができ、小型化を図ることができる。また、クランパーを設ける必要がないのでクランパー移動機構が必要なくなり、ディスク装置１の部品点数の増加、コストの増加を抑制することができる。
【００６２】
この実施例にかかるディスク装置１は、収納ディスク２００が収納されているカートリッジ７あるいはこのカートリッジ７に収納されていない未収納ディスク１００のいずれか一方を載置し、ディスク載置位置からディスク再生位置までを移動するトレイ２と、トレイ２のディスク再生位置時に、このトレイに載置されたカートリッジ７をトレイ側に押圧するカートリッジ押さえ手段であるカートリッジ押さえ装置４と、トレイ２のディスク再生位置時に、少なくとも未収納ディスク１００の中心穴１０１に対向し、かつトレイ側の端面５１ｂのトレイ２のカートリッジ７が載置される載置面２１からの高さｈ１がこのトレイ２に載置されたカートリッジ７の高さｈ２よりも高いディスク押さえ部材５１と、トレイ２のディスク再生位置時に、収納ディスク２００あるいは未収納ディスク１００を挟んでディスク押さえ部材５１と対向し、上昇することでこの収納ディスク２００あるいは未収納ディスク１００の中心穴２０１，１０１に入り込み、このトレイ２にカートリッジ７が載置されている場合には収納ディスク２００をカートリッジ７の内壁面７１ｃに押さえつけることで保持し、このトレイ２に未収納ディスク１００が載置されている場合にはこの未収納ディスク１００をディスク押さえ部材５１に押さえつけて保持し、収納ディスク２００あるいは未収納ディスク１００を回転する保持回転手段であるスピンドル３４と、を備えることで、ディスク装置１の厚みを薄くすることができる。
【００６３】
なお、上記実施例では、トレイ２に載置されたカートリッジ７の高さとして、トレイ２の載置面２１からこのトレイ２に載置されたカートリッジ７のアッパーケース５と対向する面までの高さｈ２としたが、この発明はこれに限定されるものではない。例えば、カートリッジ７が載置されたトレイ２の載置面からカートリッジ７のリブ７１ｂのアッパーケース５と対向する面までの高さとしても良い。この場合は、トレイ２がディスク載置位置からディスク再生位置まで移動する際に、トレイ２に載置されたカートリッジ７がディスク押さえ部材５１に対抗する前までに、スライド部材２２によりシャッター７２が開かれ、収納ディスク２００が切欠部から露出している必要がある。これにより、押さえ部材５１の高さをさらに低くすることができるので、ディスク装置１の厚みをさらに薄くすることができる。
【図面の簡単な説明】
【００６４】
【図１】この実施例にかかるディスク装置の概略断面図である。
【図２】トレイの構成例を示す図（平面図）である。
【図３】シャーシの構成例を示す図（平面図）である。
【図４】アッパーケースの構成例を示す図（裏面図）である。
【図５】この実施例にかかるディスク装置の動作説明図である。
【図６】この実施例にかかるディスク装置の動作説明図である。
【図７】この実施例にかかるディスク装置の動作説明図である。
【図８】この実施例にかかるディスク装置の動作説明図である。
【図９】この実施例にかかるディスク装置の動作説明図である。
【図１０】この実施例にかかるディスク装置の動作説明図である。
【図１１】この実施例にかかるディスク装置の動作説明図である。
【図１２】この実施例にかかるディスク装置の動作説明図である。
【図１３】この実施例にかかるディスク装置の動作説明図である。
【符号の説明】
【００６５】
１  ディスク装置
２  トレイ
２１  載置面
２１ａ，２１ｂ  載置用凹部
２１ｃ  位置決めピン
２１ｄ，２１ｅ  摺動溝
２２  スライド部材
２２ａ，２２ｂ  摺動突起
２２ｃ  突起部
２３  トレイリブ
３  シャーシ
３１  搭載空間部
３１ａ  摺動溝
３１ｂ，ｃ  軸受
３１ｄ〜ｇ  支持軸
３２  メインカム
３２ａ  摺動ピン
３３  トラバースメカ
３４  スピンドル
３４ａ  モータ部
３４ｂ  ターンテーブル部
３４ｃ  センタリングハブ部
３４ｄ  爪部
３５  従動部材
３５ａ，ｂ  回転軸
３６  昇降カム機構
３６ａ，ｂ  昇降カムピン
３７ａ〜ｄ  固定穴
４  カートリッジ押さえ装置（カートリッジ押さえ手段）
４１  アーム部材
４２  押さえピン
４３  回転ピン
４４  回転軸
５  アッパーケース
５１  ディスク押さえ部材
５１ａ  中空部
５１ｂ  端面
６  ネジ
７  カートリッジ
７１  本体
７１ａ  収納部
７１ｂ  リブ
７１ｃ  内壁面
７２  シャッター
７２ａ  先端部
７３  位置決め穴
１００  未収納ディスク
１０１  中心穴
２００  収納ディスク
２０１  中心穴
Ｓ  緩衝部材
【図１】
2007164840.tif 000003
【図２】
2007164840.tif 000004
【図３】
2007164840.tif 000005
【図４】
2007164840.tif 000006
【図５】
2007164840.tif 000007
【図６】
2007164840.tif 000008
【図７】
2007164840.tif 000009
【図８】
2007164840.tif 000010
【図９】
2007164840.tif 000011
【図１０】
2007164840.tif 000012
【図１１】
2007164840.tif 000013
【図１２】
2007164840.tif 000014
【図１３】
2007164840.tif 000015